【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
画像を構成する入力ブロックを符号化する画像符号化方法であって、
前記入力ブロックを予測することにより、予測ブロックを生成する予測ステップと、
前記入力ブロックから前記予測ブロックを減算することにより、残差ブロックを算出する算出ステップと、
前記残差ブロックを変換および量子化することにより、量子化係数を算出する変換／量子化ステップと、
前記量子化係数を逆量子化および逆変換することにより、符号化済み残差ブロックを算出する逆量子化／逆変換ステップと、
前記符号化済み残差ブロックと前記予測ブロックとを加算することにより、仮符号化済みブロックを生成する生成ステップと、
前記変換／量子化ステップでの量子化によって前記仮符号化済みブロックを構成する色差ブロックに含まれる誤差を補正するためのオフセット処理の要否を判定し、判定結果を示す第１の情報を生成する判定ステップと、
前記判定ステップでオフセット処理が必要と判定された場合に、前記色差ブロックに対してオフセット処理を実行するオフセット処理ステップと、
前記量子化係数と前記第１の情報とを可変長符号化する可変長符号化ステップとを含む、
画像符号化方法。
【請求項２】
画像を構成する入力ブロックを符号化する画像符号化方法であって、
前記入力ブロックを予測することにより、予測ブロックを生成する予測ステップと、
前記入力ブロックから前記予測ブロックを減算することにより、残差ブロックを算出する算出ステップと、
前記残差ブロックを変換および量子化することにより、量子化係数を算出する変換／量子化ステップと、
前記量子化係数を逆量子化および逆変換することにより、符号化済み残差ブロックを算出する逆量子化／逆変換ステップと、
前記符号化済み残差ブロックと前記予測ブロックとを加算することにより、仮符号化済みブロックを生成する生成ステップと、
前記変換／量子化ステップでの量子化によって前記仮符号化済みブロックを構成する輝度ブロックに含まれる誤差を補正するためのオフセット処理の要否を判定し、判定結果を示す第２の情報を生成する判定ステップと、
前記判定ステップでオフセット処理が必要と判定された場合に、前記輝度ブロックに対してオフセット処理を実行するオフセット処理ステップと、
前記量子化係数と前記第２の情報とを可変長符号化する可変長符号化ステップとを含む、
画像符号化方法。
【請求項３】
画像を構成する入力ブロックを符号化する画像符号化方法であって、
前記入力ブロックを予測することにより、予測ブロックを生成する予測ステップと、
前記入力ブロックから前記予測ブロックを減算することにより、残差ブロックを算出する算出ステップと、
前記残差ブロックを変換および量子化することにより、量子化係数を算出する変換／量子化ステップと、
前記量子化係数を逆量子化および逆変換することにより、符号化済み残差ブロックを算出する逆量子化／逆変換ステップと、
前記符号化済み残差ブロックと前記予測ブロックとを加算することにより、仮符号化済みブロックを生成する生成ステップと、
前記変換／量子化ステップでの量子化によって前記仮符号化済みブロックを構成する色差ブロックに含まれる誤差を補正するためのオフセット処理の要否を判定し、判定結果を示す第１の情報を生成する第１判定ステップと、
前記変換／量子化ステップでの量子化によって前記仮符号化済みブロックを構成する輝度ブロックに含まれる誤差を補正するためのオフセット処理の要否を判定し、判定結果を示す第２の情報を生成する第２判定ステップと、
前記第１判定ステップでオフセット処理が必要と判定された場合に、前記色差ブロックに対してオフセット処理を実行する第１オフセット処理ステップと、
前記第２判定ステップでオフセット処理が必要と判定された場合に、前記輝度ブロックに対してオフセット処理を実行する第２オフセット処理ステップと、
前記量子化係数と前記第１の情報と前記第２の情報とを可変長符号化する可変長符号化ステップとを含む、
画像符号化方法。
【請求項４】
画像を構成する入力ブロックを符号化する画像符号化装置であって、
前記入力ブロックを予測することにより、予測ブロックを生成する予測部と、
前記入力ブロックから前記予測ブロックを減算することにより、残差ブロックを算出する算出部と、
前記残差ブロックを変換および量子化することにより、量子化係数を算出する変換／量子化部と、
前記量子化係数を逆量子化および逆変換することにより、符号化済み残差ブロックを算出する逆量子化／逆変換部と、
前記符号化済み残差ブロックと前記予測ブロックとを加算することにより、仮符号化済みブロックを生成する生成部と、
前記変換／量子化部での量子化によって前記仮符号化済みブロックを構成する色差ブロックに含まれる誤差を補正するためのオフセット処理の要否を判定し、判定結果を示す第１の情報を生成する判定部と、
前記判定部でオフセット処理が必要と判定された場合に、前記色差ブロックに対してオフセット処理を実行するオフセット処理部と、
前記量子化係数と前記第１の情報とを可変長符号化する可変長符号化部とを備える、
画像符号化装置。
【請求項５】
画像を構成する入力ブロックを符号化する画像符号化装置であって、
前記入力ブロックを予測することにより、予測ブロックを生成する予測部と、
前記入力ブロックから前記予測ブロックを減算することにより、残差ブロックを算出する算出部と、
前記残差ブロックを変換および量子化することにより、量子化係数を算出する変換／量子化部と、
前記量子化係数を逆量子化および逆変換することにより、符号化済み残差ブロックを算出する逆量子化／逆変換部と、
前記符号化済み残差ブロックと前記予測ブロックとを加算することにより、仮符号化済みブロックを生成する生成部と、
前記変換／量子化部での量子化によって前記仮符号化済みブロックを構成する輝度ブロックに含まれる誤差を補正するためのオフセット処理の要否を判定し、判定結果を示す第２の情報を生成する判定部と、
前記判定部でオフセット処理が必要と判定された場合に、前記輝度ブロックに対してオフセット処理を実行するオフセット処理部と、
前記量子化係数と前記第２の情報とを可変長符号化する可変長符号化部とを備える、
画像符号化装置。
【請求項６】
画像を構成する入力ブロックを符号化する画像符号化装置であって、
前記入力ブロックを予測することにより、予測ブロックを生成する予測部と、
前記入力ブロックから前記予測ブロックを減算することにより、残差ブロックを算出する算出部と、
前記残差ブロックを変換および量子化することにより、量子化係数を算出する変換／量子化部と、
前記量子化係数を逆量子化および逆変換することにより、符号化済み残差ブロックを算出する逆量子化／逆変換部と、
前記符号化済み残差ブロックと前記予測ブロックとを加算することにより、仮符号化済みブロックを生成する生成部と、
前記変換／量子化部での量子化によって前記仮符号化済みブロックを構成する色差ブロックに含まれる誤差を補正するためのオフセット処理の要否を判定し、判定結果を示す第１の情報を生成する第１判定部と、
前記変換／量子化部での量子化によって前記仮符号化済みブロックを構成する輝度ブロックに含まれる誤差を補正するためのオフセット処理の要否を判定し、判定結果を示す第２の情報を生成する第２判定部と、
前記第１の判定部でオフセット処理が必要と判定された場合に、前記色差ブロックに対してオフセット処理を実行する第１オフセット処理部と、
前記第２の判定部でオフセット処理が必要と判定された場合に、前記輝度ブロックに対してオフセット処理を実行する第２オフセット処理部と、
前記量子化係数と前記第１の情報と前記第２の情報とを可変長符号化する可変長符号化部とを備える、
画像符号化装置。
【手続補正２】
【補正対象書類名】明細書
【補正対象項目名】発明の名称
【補正方法】変更
【補正の内容】
【発明の名称】画像符号化方法、及び画像符号化装置
【手続補正３】
【補正対象書類名】明細書
【補正対象項目名】０００８
【補正方法】変更
【補正の内容】
【０００８】
本発明の一形態に係る画像符号化方法は、画像を構成する入力ブロックを符号化する画像符号化方法であって、前記入力ブロックを予測することにより、予測ブロックを生成する予測ステップと、前記入力ブロックから前記予測ブロックを減算することにより、残差ブロックを算出する算出ステップと、前記残差ブロックを変換および量子化することにより、量子化係数を算出する変換／量子化ステップと、前記量子化係数を逆量子化および逆変換することにより、符号化済み残差ブロックを算出する逆量子化／逆変換ステップと、前記符号化済み残差ブロックと前記予測ブロックとを加算することにより、仮符号化済みブロックを生成する生成ステップと、前記変換／量子化ステップでの量子化によって前記仮符号化済みブロックを構成する色差ブロックに含まれる誤差を補正するためのオフセット処理の要否を判定し、判定結果を示す第１の情報を生成する判定ステップと、前記判定ステップでオフセット処理が必要と判定された場合に、前記色差ブロックに対してオフセット処理を実行するオフセット処理ステップと、前記量子化係数と前記第１の情報とを可変長符号化する可変長符号化ステップとを含む。
本発明の一形態に係る画像符号化方法は、画像を構成する入力ブロックを符号化する画像符号化方法であって、前記入力ブロックを予測することにより、予測ブロックを生成する予測ステップと、前記入力ブロックから前記予測ブロックを減算することにより、残差ブロックを算出する算出ステップと、前記残差ブロックを変換および量子化することにより、量子化係数を算出する変換／量子化ステップと、前記量子化係数を逆量子化および逆変換することにより、符号化済み残差ブロックを算出する逆量子化／逆変換ステップと、前記符号化済み残差ブロックと前記予測ブロックとを加算することにより、仮符号化済みブロックを生成する生成ステップと、前記変換／量子化ステップでの量子化によって前記仮符号化済みブロックを構成する輝度ブロックに含まれる誤差を補正するためのオフセット処理の要否を判定し、判定結果を示す第２の情報を生成する判定ステップと、前記判定ステップでオフセット処理が必要と判定された場合に、前記輝度ブロックに対してオフセット処理を実行するオフセット処理ステップと、前記量子化係数と前記第２の情報とを可変長符号化する可変長符号化ステップとを含む。
本発明の一形態に係る画像符号化方法は、画像を構成する入力ブロックを符号化する画像符号化方法であって、前記入力ブロックを予測することにより、予測ブロックを生成する予測ステップと、前記入力ブロックから前記予測ブロックを減算することにより、残差ブロックを算出する算出ステップと、前記残差ブロックを変換および量子化することにより、量子化係数を算出する変換／量子化ステップと、前記量子化係数を逆量子化および逆変換することにより、符号化済み残差ブロックを算出する逆量子化／逆変換ステップと、前記符号化済み残差ブロックと前記予測ブロックとを加算することにより、仮符号化済みブロックを生成する生成ステップと、前記変換／量子化ステップでの量子化によって前記仮符号化済みブロックを構成する色差ブロックに含まれる誤差を補正するためのオフセット処理の要否を判定し、判定結果を示す第１の情報を生成する第１判定ステップと、前記変換／量子化ステップでの量子化によって前記仮符号化済みブロックを構成する輝度ブロックに含まれる誤差を補正するためのオフセット処理の要否を判定し、判定結果を示す第２の情報を生成する第２判定ステップと、前記第１判定ステップでオフセット処理が必要と判定された場合に、前記色差ブロックに対してオフセット処理を実行する第１オフセット処理ステップと、前記第２判定ステップでオフセット処理が必要と判定された場合に、前記輝度ブロックに対してオフセット処理を実行する第２オフセット処理ステップと、前記量子化係数と前記第１の情報と前記第２の情報とを可変長符号化する可変長符号化ステップとを含む。